(57)【要約】      （修正有）【課題】射出した水を効率的に回収し、稼働によって外部へ流出する水量を抑え、また周囲への余分な水の飛散による影響を抑制することのできる射的遊戯施設を提供する。【解決手段】軌道レール１０上を走行するゴンドラ車１と、ゴンドラ車１上に回動可能に取り付けられた水射器２１、水射器２１の下方に立設した給水縦管、水射器による射出水流を加圧するコンプレッサー２３、及び前記水射器２１と給水縦管とを連通する給水ホースと、給水縦管に接続して乗降車１の下部から突出する突出管、及び突出管の先に取り付けられたポンプ３２と、前記ゴンドラ車１の走行に伴うポンプ３２の軌道上の経路に配された水路４とを設ける。さらに、上面が周囲に向かって下方傾斜した傾斜台５０、傾斜台５０上に立設した仕切り板と、仕切り板の板面よりも前方に立設した的部と、傾斜台５０の周囲から立設して台上方に突出した枠板５３とを備えてなる。【選択図】図３
0003161854.tif 000002
【実用新案登録請求の範囲】
【請求項１】
乗車部（１２）を有して軌道レール（１０）上を走行するゴンドラ車（１）と、
ゴンドラ車（１）上に回動可能に取り付けられ回動範囲内の所定方向へ水流を射出しうる水射器（２１）、水射器（２１）の下方に立設した給水縦管（２２）、水射器（２１）による射出水流を加圧するコンプレッサー（２３）、及び前記水射器（２１）と給水縦管（２２）とを連通する給水ホース（２４）を有してゴンドラ車（１）内に備えられた吐出機構と、
給水縦管（２２）に接続してゴンドラ車（１）の下部から突出する突出管（３１）、及び突出管（３１）の先に取り付けられたポンプ（３２）からなる吸水機構と、
前記ゴンドラ車（１）の走行に伴うポンプ（３２）の軌道上の経路に配された水路（４）と、上面が周囲に向かって下方傾斜した傾斜台（５０）、傾斜台（５０）上に立設して傾斜台（５０）の上方を複数の射的空間に仕切る仕切り板（５１）、傾斜台上であって前記仕切り板（５１）の板面よりも前方に立設した的部（５２）、及び傾斜台（５０）の周囲から立設して台上方に突出した枠板（５３）を有する射的部とを備え、
水路（４）内の水はポンプ（３２）によって給水縦管（２２）内に吸水され、給水ホース（２４）を経てコンプレッサー（２３）で加圧された状態で水射器（２１）から水射され、水射器（２１）から水射された水流は、前記仕切り板（５１）及び枠板（５３）によって射的空間が囲われることで、射出量の過半水量が、前記仕切り板（５１）、的部（５２）、又は枠板（５３）のいずれかに接することで傾斜台（５０）上に誘導され、傾斜台（５０）の上面を伝って水路（４）内に流れ込むことを特徴とする水射的遊戯施設。
【請求項２】
前記給水縦管（２２）は給水ホース（２４）への連通部よりも上方へ伸びた上方管路２２１を有し、上方管路２２１の上部がコンプレッサー（２３）と連通することで、上方管路２２１内の水が加圧され、この加圧された上方管路２２１内の水が給水ホース（２４）へ加圧流出する請求項１記載の水射的遊戯施設。
【請求項３】
前記水射器（２１）は、ゴンドラ車（１）に設けられた台上に、少なくとも水平回動自在に接続固定される接続部と、ゴンドラ車の走行方向に対して平面視側方に伸びたノズル部と、接続部からノズル部まで内部連通する連通部とを有し、
前記給水ホース（２４）は、上部のホース端が前記接続部に回動不能に固定されて前記連通部と連通してなると共に、ノズル部が所定範囲を超えて回動したとき、ホース流路がねじれて内部の流通流量を減少させる請求項１又は２記載の水射的遊戯施設。
【請求項４】
前記給水ホース（２４）にはホース内側への窪み部が形成され、ホースが前記接続部との固定角度に対して大きくとも９０度以上ねじれたとき、この窪み部の形成箇所でホース流路が潰れて流通流量が低下する請求項３記載の水射的遊戯施設。
【請求項５】
ゴンドラ車（１）は前後に複数輪の走行車輪（１１）を有すると共に、走行車輪（１１）のうち前後の車輪間では、軌道レール（１０）の軌道に沿って相対角度が可変するものであり、
また、吸水縦管（２２）のうち給水ホース（２４）への下部連通部（２２４）よりも下部にある下方管路（２２２）或いは前記突出管（３１）には、ポンプ（３３）の給水水量を調節する調節弁（３２）が介設され、
この調節弁（３２）は、前記前後の車輪間の相対角度の可変量の増加に応じて、給水水量を自動的に減少調節する請求項１、２、３又は４のいずれかに記載の水射的遊戯施設。
【請求項６】
傾斜台（５０）の上面には複数本の導水溝（５４）が平面視略放射状に形成され、傾斜台（５０）の上面は勾配が設けられることで面上の水をこの導水溝（５４）に集水し、導水溝（５４）は勾配が設けられることで溝内の水を溝端の外部に設けた水路（４）内へ導水する請求項１、２、３、４、又は５のいずれかに記載の水射的遊戯施設。
【考案の詳細な説明】
【技術分野】
【０００１】
移動型の乗り物から水鉄砲による射的を楽しむことのできる射的遊戯施設に関する。
【背景技術】
【０００２】
従来、屋外射的ゲーム施設として、噴射ガン装置を備え、軌道に沿って移動可能な乗り物と、上記軌道から所要距離離間する位置に配設された陸上側ガン装置と、を有して構成し、これら乗り物側ガン装置と陸上側ガン装置から標的装置の的を狙い、的に当たると標的装置が作動させるように構成したものが開示される（特許文献１参照）。このゲーム施設は、噴射ガン装置を備え、軌道に沿って移動可能な乗り物と、上記軌道から所要距離離間する位置に配設された陸上側ガン装置と、を有して構成され、これら乗り物側ガン装置と陸上側ガン装置から標的装置の的を狙い、的に当たると標的装置が作動する。また前記ガン装置は、送水ポンプによって的に届く水圧を射出可能に構成され、前記標的装置は、的に噴水或は赤外線が当たると、光を放ち、或は効果音を発音し、又は噴水を上げ、或はプロペラが回り、或はこれらを適宜組み合わせて表現するもの、とされる。
【先行技術文献】
【特許文献】
【０００３】
【特許文献１】特開２００５−５８３９４号公報
【考案の概要】
【考案が解決しようとする課題】
【０００４】
しかしながら、上記屋外射的ゲーム施設では射出した水が回収されず、稼働のために多量の水が必要になるという問題が生じていた。集水のために的の付近に集水部を設けたとしても、集水部で集水しきれない外部への水の流出量は少なくない。周囲に余分な水が飛散すると、他の遊戯者或いは遊戯者以外の者へ水がかかるといった影響も生じる。
【０００５】
そこで本考案では、射出した水を効率的に回収し、稼働によって外部へ流出する水量を抑え、また周囲への余分な水の飛散による影響を抑制することのできる射的遊戯施設を提供することを課題とする。
【課題を解決するための手段】
【０００６】
本考案は上記課題を解決すべく以下（１）〜（６）の手段を採用している。
（１）本考案の水射的遊戯施設は、
乗車部１２を有して軌道レール１０上を走行するゴンドラ車１と、
ゴンドラ車１上に回動可能に取り付けられ回動範囲内の所定方向へ水流を射出しうる水射器２１、水射器２１の下方に立設した給水縦管２２、水射器による射出水流を加圧するコンプレッサー２３、及び前記水射器２１と給水縦管とを連通する給水ホース２４を有してゴンドラ車１内に備えられた吐出機構と、
給水縦管２２に接続して乗降車１の下部から突出する突出管３１、及び突出管３１の先に取り付けられたポンプ３２からなる吸水機構と、
前記ゴンドラ車１の走行に伴うポンプ３２の軌道上の経路に配された水路４と、
上面が周囲に向かって下方傾斜した傾斜台５０、傾斜台５０上に立設して傾斜台の上方を複数の射的空間に仕切る仕切り板５１、傾斜台上であって前記仕切り板５１の板面よりも前方に立設した的部５２、及び傾斜台５０の周囲から立設して台上方に突出した枠板５３を有する射的部とを備え、
水路４内の水はポンプ３２によって給水縦管内に吸水され、給水ホース２４を経てコンプレッサー２３で加圧された状態で水射器２１から水射され、水射器２１から水射された水流は、前記仕切り板５１及び枠板５３によって射的空間が囲われることで、少なくとも７０重量％以上の水量が、前記仕切り板５１、的部５２、又は枠板５３のいずれかに接することで傾斜台５０上に誘導され、傾斜台５０の上面を伝って水路４内に流れ込むことを特徴とする。
【０００７】
仕切り板５１によって、傾斜台５０上方の射的空間が仕切られ、この仕切られた射的空間の側方に枠板５３が突出し、仕切り板５１の板面を背部とした前方に的部５２が配置され、その下部周囲に拡がる傾斜台の周縁に沿って、また枠板５３が上方突出することとなる。これにより、的部５２が配置された射的空間は、背面、側面、前面がいずれも上方へ立設した突出板に囲まれて、施設外部への水の余分な放出を防ぐことができる。
【０００８】
（２）給水縦管２２は給水ホース２４への連通部よりも上方へ伸びた上方管路２２１を有し、上方管路２２１の上部がコンプレッサー２３と連通することで、上方管路２２１内の水が加圧され、この加圧された上方管路２２１内の水が給水ホース２４へ加圧流出することが好ましい。
【０００９】
このような構成であれば、給水縦管２２１内にポンプからの吸水をストックしておくことができる。
【００１０】
（３）水射器２１は、ゴンドラ車１に設けられた台上に、少なくとも水平回動自在に接続固定される接続部と、ゴンドラ車の走行方向に対して平面視側方に伸びたノズル部と、接続部からノズル部まで内部連通する連通部とを有し、
前記給水ホース２４は、上部のホース端が前記接続部に回動不能に固定されて前記連通部と連通してなると共に、ノズル部が所定範囲（ゴンドラ車の側方向を中心とした前後両方向９０度の範囲）を超えて回動したとき、ホースがねじれて内部の流通流量を減少させるものであることが好ましい。
【００１１】
（４）給水ホース２４にはホース内側への窪み部が形成され、ホースが前記接続部との固定角度に対して大きくとも９０度以上ねじれたとき、この窪み部の形成箇所でホースが潰れて流通流量が低下することが好ましい。
【００１２】
例えば対向する２カ所が径方向内側へ窪んだ窪み部を、ホース長全体に有し、流通流路が断面視にて数字の８の字状に形成される。
【００１３】
水射器が所定範囲を超えて９０度以上回動したとき、給水ホースがねじれて流通流量が減り、この流通流量の減少と共に流通水圧がわずかに上昇する。これにより、ゴンドラ車１内で大きく水射器を回動させると水射器２１からの水流が僅かに高圧となるものの、水射流量がホースの変形によって自動的に減少する。これにより、的部から大きく外れて射的空間の外部へ水が大量に流出するのを防ぐことができる。また、水射器の角度調節によって水射の圧力を変え、的部との距離に応じた射程距離を調節することも可能である。
【００１４】
特に給水縦管２４が上方管路を有し、上方管路の上部でコンプレッサー連通したものであると、ホースが所定範囲を超えてねじれたときに、コンプレッサーの圧縮空気とホース内の圧力とがポンプの給水圧を上回った時点から、給水量が極端に減少する。これにより、水射器２１からの水射を機械的に自動停止させることも可能である。
【００１５】
（５）ゴンドラ車１は４輪の走行車輪１１を有すると共に、走行車輪のうち前後の車輪間では、レールの軌道に沿って相対角度が可変するものであり、
また、突出管又は吸水縦管のうち給水ホースの連通部よりも下部或いは突出管には、ポンプの給水水量を調節する調節弁３２が介設され、
この調節弁３２は、前記前後の車輪間の相対角度の可変量の増加に応じて、給水水量を自動的に減少調節するものであることが好ましい。
【００１６】
例えば上記調節弁３２として電磁弁を使用し、前後車輪の車軸相互間に取り付けた伸縮バーによって、前後車輪の相対角度の変化を伸縮バーの伸縮量として検知し、当該伸縮量の増加に応じて電磁弁を閉方向に絞り作動させ、給水水量を減少させることができる。調節弁３２によって給水水量を減少調節することで、ポンプ３３からの吸水量は減少し、水射器２１からの水射水量が少なくなる。特に給水縦管２４が下部連通口２２４よりも上部に鉛直伸長した上方管路２２１を有し、上方管路２２１の上部連通口２２３でコンプレッサー連通したものであると、コンプレッサー２３の圧縮空気がポンプ３３の吸水圧を上回り、給水量が極端に減少する。これにより、水射器２１からの水射を自動停止させることも可能である。
【００１７】
ここでゴンドラ車１が走行するレール１０の軌道が、直線ではなく湾曲した部分であるとき、軌道の湾曲曲率の大きさに応じて、レール１０の平面視内側に存在する射的範囲（すなわち、１台のゴンドラ車１からみた射的空間の角度の範囲）は小さくなる（図１参照）。また軌道の湾曲曲率の大きさに応じて、軌道上を通るゴンドラ車１の前後の車輪間の相対角度は大きくなる（図３参照）。
【００１８】
そこで上記のように、ゴンドラ車の前後の車輪間の相対角度に応じてポンプの吸水量を自動的に減少させることで、ゴンドラ車１からみた射的範囲が小さいときに水射量を減らし、射的空間外へ流出する余分な水射量を抑えることができる。
【００１９】
（６）傾斜台５０の上面には複数本の導水溝５４が平面視略放射状に形成され、傾斜台５０の上面は勾配が設けられることで面上の水をこの導水溝５４に集水し、導水溝５４は勾配が設けられることで溝内の水を溝端の外部に設けた水路４内へ導水することが好ましい。
【００２０】
傾斜台５０の周囲には枠板５３が台上面よりも上方へ突出して形成され、この枠板５３は水路４の垂直な内縁部と連なる。水路４の内縁部には導水溝５４と水路４内とを連通する連通孔５４ｈが傾斜して穿設され、傾斜台５０の上面に離間して設けられた導水溝５４と連通する。
【考案の効果】
【００２１】
本考案の射的遊戯施設は上記手段を講じており、的部を有する射的空間を、島状の射的部に集中させ、また傾斜台とその周囲に設けた水路によって射出した水を効率的に回収し、仕切り板や枠板によって外部へ流出する水量を抑え、また周囲への余分な水の飛散による影響を抑制することのできる射的遊戯施設を提供することとなった。
【図面の簡単な説明】
【００２２】
【図１】実施例１の射的遊戯施設の平面図。
【図２】実施例１の射的遊戯施設の正面図。
【図３】図１のうち軌道レールの湾曲部分における部分透過拡大説明図。
【図４】実施例１のゴンドラ車及びその周辺構成を示す側面視断面説明図。
【図５】実施例１のゴンドラ車及びその周辺構成を示す正面視断面説明図。
【考案を実施するための形態】
【００２３】
以下、本仕切り材の実施形態を、実施例として示す各図と共に説明する。本考案の水射的遊戯施設は、
乗車部１２を有して軌道レール１０上を走行するゴンドラ車１と、
ゴンドラ車１上に回動可能に取り付けられ回動範囲内の所定方向へ水流を射出しうる水射器２１、水射器２１の下方に立設した給水縦管２２、水射器による射出水流を加圧するコンプレッサー２３、及び前記水射器２１と給水縦管とを連通する給水ホース２４を有してゴンドラ車１内に備えられた吐出機構と、
給水縦管２２に接続して乗降車１の下部から突出する突出管３１、及び突出管３１の先に取り付けられたポンプ３２からなる吸水機構と、
前記ゴンドラ車１の走行に伴うポンプ３２の軌道上の経路に配された水路４と、
上面が周囲に向かって下方傾斜した傾斜台５０、傾斜台５０上に立設して傾斜台の上方を複数の射的空間に仕切る仕切り板５１、傾斜台上であって前記仕切り板５１の板面よりも前方に立設した的部５２、及び傾斜台５０の周囲から立設して台上方に突出した枠板５３を有する射的部とを備える。
【００２４】
（給水縦管２２）
給水縦管２２は給水ホース２４への連通部よりも上方へ伸びた上方管路２２１を有し、上方管路２２１の上部がコンプレッサー２３と連通することで、上方管路２２１内の水が加圧され、この加圧された上方管路２２１内の水が給水ホース２４へ加圧流出することが好ましい。このような構成であれば、給水縦管２２１内にポンプからの吸水をストックしておくことができる。
【００２５】
（水射器２１）
水射器２１は、ゴンドラ車１に設けられた台上に、少なくとも水平回動自在に接続固定される接続部と、ゴンドラ車の走行方向に対して平面視側方に伸びたノズル部と、接続部からノズル部まで内部連通する連通部とを有する。連通部は非操作時は内部封鎖されており、トリガー２１Ｔを水平方向手前側（乗り入れ部１２側）に引くことでこの内部封鎖が解除され、ノズル部から水流が発射される。
【００２６】
（給水ホース２４）
給水ホース２４は、上部のホース端が前記接続部に回動不能に固定されて前記連通部と連通してなると共に、ノズル部が所定範囲（ゴンドラ車の側方向を中心とした前後両方向９０度の範囲）を超えて回動したとき、ホースがねじれて内部の流通流量を減少させるものであることが好ましい。
【００２７】
給水ホース２４にはホース内側への窪み部が形成され、ホースが前記接続部との固定角度に対して大きくとも９０度以上ねじれたとき、この窪み部の形成箇所でホースが潰れて流通流量が低下することが好ましい。例えば対向する２カ所が径方向内側へ窪んだ窪み部を、ホース長全体に有し、流通流路が断面視にて数字の８の字状に形成される。
【００２８】
水射器が所定範囲を超えて９０度以上回動したとき、給水ホースがねじれて流通流量が減り、この流通流量の減少と共に流通水圧がわずかに上昇する。これにより、ゴンドラ車１内で大きく水射器を回動させると水射器２１からの水流が僅かに高圧となるものの、水射流量がホースの変形によって自動的に減少する。これにより、的部から大きく外れて射的空間の外部へ水が大量に流出するのを防ぐことができる。また、水射器の角度調節によって水射の圧力を変え、的部との距離に応じた射程距離を調節することも可能である。
【００２９】
特に給水縦管２４が上方管路を有し、上方管路の上部でコンプレッサー連通したものであると、ホースが所定範囲を超えてねじれたときに、コンプレッサーの圧縮空気とホース内の圧力とがポンプの給水圧を上回った時点から、給水量が極端に減少する。これにより、水射器２１からの水射を機械的に自動停止させることも可能である。
【００３０】
（ゴンドラ車１）ゴンドラ車１は４輪の走行車輪１１を有すると共に、走行車輪のうち前後の車輪間では、レールの軌道に沿って相対角度が可変するものである。
【００３１】
（調節弁３２）
突出管又は吸水縦管のうち給水ホースの連通部よりも下部或いは突出管には、ポンプの給水水量を調節する調節弁３２が介設され、
この調節弁３２は、前記前後の車輪間の相対角度の可変量の増加に応じて、給水水量を自動的に減少調節する。
【００３２】
例えば上記調節弁３２として電磁弁を使用し、前後車輪の車軸相互間に取り付けた伸縮バーによって、前後車輪の相対角度の変化を伸縮バーの伸縮量として検知し、当該伸縮量の増加に応じて電磁弁を閉方向に絞り作動させ、給水水量を減少させることができる。調節弁３２によって給水水量を減少調節することで、ポンプ３３からの吸水量は減少し、水射器２１からの水射水量が少なくなる。特に給水縦管２４が下部連通口２２４よりも上部に鉛直伸長した上方管路２２１を有し、上方管路２２１の上部連通口２２３でコンプレッサー連通したものであると、コンプレッサー２３の圧縮空気がポンプ３３の吸水圧を上回り、給水量が極端に減少する。これにより、水射器２１からの水射を自動停止させることも可能である。
【００３３】
ここでゴンドラ車１が走行するレール１０の軌道が、直線ではなく湾曲した部分であるとき、軌道の湾曲曲率の大きさに応じて、レール１０の平面視内側に存在する射的範囲（すなわち、１台のゴンドラ車１からみた射的空間の角度の範囲）は小さくなる（図１参照）。また軌道の湾曲曲率の大きさに応じて、軌道上を通るゴンドラ車１の前後の車輪間の相対角度は大きくなる（図３参照）。
【００３４】
そこで上記のように、ゴンドラ車の前後の車輪間の相対角度に応じてポンプの吸水量を自動的に減少させることで、ゴンドラ車１からみた射的範囲が小さいときに水射量を減らし、射的空間外へ流出する余分な水射量を抑えることができる。
【００３５】
（傾斜台５０）
傾斜台５０は平面視長円形状の島状部からなり、上面中央の対称線が最も高位となってその周囲にかけて下方傾斜した平面状の上面を有する。傾斜台５０の上面には複数本の導水溝５４が平面視略放射状に形成され、傾斜台５０の上面は勾配が設けられることで面上の水をこの導水溝５４に集水し、導水溝５４は勾配が設けられることで溝内の水を溝端の外部に設けた水路４内へ導水する。
【００３６】
傾斜台５０の周囲には枠板５３が台上面よりも上方へ突出して形成され、この枠板５３は水路４の垂直な内縁部と連なる。水路４の内縁部には導水溝５４と水路４内とを連通する連通孔５４ｈが傾斜して穿設され、傾斜台５０の上面に離間して設けられた導水溝５４と連通する。
【００３７】
水路４内の水はポンプ３２によって給水縦管内に吸水され、給水ホース２４を経てコンプレッサー２３で加圧された状態で水射器２１から水射され、水射器２１から水射された水流は、前記仕切り板５１及び枠板５３によって射的空間が囲われることで、少なくとも７０重量％以上の水量が、前記仕切り板５１、的部５２、又は枠板５３のいずれかに接することで傾斜台５０上に誘導され、傾斜台５０の上面を伝って水路４内に流れ込む。
【００３８】
仕切り板５１によって、傾斜台５０上方の射的空間が仕切られ、この仕切られた射的空間の側方に枠板５３が突出し、仕切り板５１の板面を背部とした前方に的部５２が配置され、その下部周囲に拡がる傾斜台の周縁に沿って、枠板５３が上方突出することとなる。これにより、的部５２が配置された射的空間は、背面、側面、前面がいずれも上方へ立設した突出板に囲まれて、施設外部への水の余分な放出を防ぐことができる。
【００３９】
本考案の実施例は上述の各構成を有するものであるが、本考案は同実施例に限定されることなく、考案の趣旨を逸脱しない範囲で適宜構成要素の抽出、代替、形態変更、要素の省略又は寸法比率を含む形状の変更が可能である。
【符号の説明】
【００４０】
１２  乗車部
１０  軌道レール
１  ゴンドラ車
２１  水射器
２２  給水縦管
２３  コンプレッサー
２４  給水ホース
３１  突出管
３２  ポンプ
４  水路
５０  傾斜台
５１  仕切り板
５２  的部
５３  枠板
【図１】
0003161854.tif 000003
【図２】
0003161854.tif 000004
【図３】
0003161854.tif 000005
【図４】
0003161854.tif 000006
【図５】
0003161854.tif 000007